(57)【要約】【課題】情報の書き込みや読み出しを可能とする状態と不可能とする状態とのいずれの状態であっても形状が大型化しない。【解決手段】アンテナとなる導体１２ａ，１２ｂが形成されるとともにＩＣチップ１１が搭載されたアンテナ片１０と、補助片３０と、金属箔２１が塗布された導電片２０とが折り部４０ａ，４０ｂを介して連接し、これらアンテナ片１０、導電片２０及び補助片３０を折り部４０ａ，４０ｂにて折り畳んだ場合に導体１２ａ，１２ｂと金属箔２１とが対向し、その折り畳み順序によってアンテナ片１０と導電片２０との積層順序が異なる。【選択図】図１
2007122468.tif 000002
【特許請求の範囲】
【請求項１】
導電性のアンテナと該アンテナを介して情報の書き込み及び／または読み出しが可能なＩＣチップとがシート基材に設けられてなるＲＦ−ＩＤメディアにおいて、
前記シート基材は、互いに折り部を介して折り畳み可能に連接した３つ以上のシート部からなり、
前記３つ以上のシート部のうち１つのシート部に、前記アンテナ及び前記ＩＣチップが設けられ、
前記３つ以上のシート部のうち、前記アンテナ及び前記ＩＣチップが設けられたシート部以外の１つのシート部に、前記３つ以上のシート部が前記折り部にて折り畳まれた場合に前記アンテナの少なくとも一部と対向するように反射導電板が設けられ、
前記アンテナ及び前記ＩＣチップが設けられたシート部と、前記反射導電板が設けられたシート部は、前記３つ以上のシート部の配置について、前記３つ以上のシート部を前記折り部にて折り畳んだ場合、折り畳み順序によって積層順序が異なるように配置されていることを特徴とするＲＦ−ＩＤメディア。
【発明の詳細な説明】
【技術分野】
【０００１】
本発明は、非接触状態にて情報の書き込み及び／または読み出しが可能な非接触型ＩＣカードや非接触型ＩＣラベル等のＲＦ−ＩＤメディアに関し、特に、情報の書き込み及び／または読み出しの可否の切り替え技術に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
非接触状態にて情報の書き込み及び読み出しが可能な非接触型ＩＣカードや非接触型ＩＣラベル、非接触型ＩＣタグにおいては、近年、小型化及び通信可能距離を確保するために、９００ＭＨｚ〜１０００ＭＨｚの周波数帯を利用して通信を行う微細なＩＣチップが用いられ始めている。
【０００５】
このような微細なＩＣチップを用いた場合、ＩＣチップに導電性のアンテナを接続することにより、ＩＣチップの通信可能距離を延ばすことができる。
【０００６】
図７は、９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【０００７】
本構成例は図７に示すように、樹脂や紙等からなるベース基材２０２上に、互いに直列に並ぶように所定の間隔を有して形成された２つの帯状の導体２１０ａ，２１０ｂからなるアンテナ部２１０が形成されており、この２つの導体２１０ａ，２１０ｂに接続されるように、非接触状態にて情報の書き込み及び読み出しが可能なＩＣチップ２０１が搭載されて構成されている。
【０００８】
上記のように構成された非接触型ＩＣタグ２００においては、外部に設けられた情報書込／読出装置（不図示）に近接させることにより、情報書込／読出装置からの電波によりアンテナ部２１０に電流が流れ、この電流がＩＣチップ２０１に供給され、それにより、非接触状態において、情報書込／読出装置からＩＣチップ２０１に情報が書き込まれたり、ＩＣチップ２０１に書き込まれた情報が情報書込／読出装置にて読み出されたりする。
【０００９】
上述したような非接触型ＩＣタグ２００においては、その用途や状況に応じて、情報の書き込みや読み出しを可能としたり不可能としたりする必要が生じる場合がある。
【００１０】
ここで、コイル状のアンテナにＩＣチップが接続された電磁誘導型のＲＦＩＤタグラベルにおいて、アンテナ及びＩＣチップが配置された領域を、物品等に貼着される他の領域から切り離し可能としたものが考えられている（例えば、特許文献１参照。）。この技術を上述した非接触型ＩＣタグ２００にも適用し、その非接触型ＩＣタグ２００を物品に取り付け、非接触型ＩＣタグ２００に対して情報の書き込みや読み出しを行うことにより、物品を管理することができる。そして、アンテナ及びＩＣチップが配置された領域を他の領域から切り離すことにより、その物品に取り付けられた非接触型ＩＣタグ２００に対する情報の書き込みや読み出しを不可能とすることができる。
【特許文献１】特開２００５−１９６３７７号公報
【発明の開示】
【発明が解決しようとする課題】
【００１１】
しかしながら、上述したように、アンテナ及びＩＣチップが配置された領域を、物品等に取り付けられる他の領域から切り離し可能としたものにおいては、アンテナ及びＩＣチップが配置された領域を他の領域から切り離す前の状態においては、物品等に取り付けられる領域からアンテナ及びＩＣチップが配置された領域が突出するような形状となり、それにより、形状が大型化してしまうという問題点がある。
【００１２】
本発明は、上述したような従来の技術が有する問題点に鑑みてなされたものであって、情報の書き込みや読み出しを可能とする状態と不可能とする状態とのいずれの状態であっても形状が大型化することがないＲＦ−ＩＤメディアを提供することを目的とする。
【課題を解決するための手段】
【００１３】
上記目的を達成するために本発明は、
導電性のアンテナと該アンテナを介して情報の書き込み及び／または読み出しが可能なＩＣチップとがシート基材に設けられてなるＲＦ−ＩＤメディアにおいて、
前記シート基材は、互いに折り部を介して折り畳み可能に連接した３つ以上のシート部からなり、
前記３つ以上のシート部のうち１つのシート部に、前記アンテナ及び前記ＩＣチップが設けられ、
前記３つ以上のシート部のうち、前記アンテナ及び前記ＩＣチップが設けられたシート部以外の１つのシート部に、前記３つ以上のシート部が前記折り部にて折り畳まれた場合に前記アンテナの少なくとも一部と対向するように反射導電板が設けられ、
前記アンテナ及び前記ＩＣチップが設けられたシート部と、前記反射導電板が設けられたシート部は、前記３つ以上のシート部の配置について、前記３つ以上のシート部を前記折り部にて折り畳んだ場合、折り畳み順序によって積層順序が異なるように配置されていることを特徴とする。
【００１４】
上記のように構成された本発明においては、３つ以上のシート部のうち１つのシート部に設けられたアンテナと、３つ以上のシート部のうちアンテナが設けられたシート部以外の１つのシート部に設けられた反射導電板とが対向した状態でアンテナが設けられたシート部側から情報の書き込みや読み出しを行った場合にＩＣチップに対する情報の書き込みや読み出しが可能となるようにアンテナの形状を設計しておく。そして、アンテナが設けられたシート部と反射導電板が設けられたシート部との積層順序が、アンテナが設けられたシート部が情報の書き込みや読み出しを行う側となるような折り畳み順序で３つ以上のシート部を折り部にて折り畳むと情報の書き込みや読み出しが可能となり、また、アンテナが設けられたシート部と反射導電板が設けられたシート部との積層順序が、反射導電板が設けられたシート部が情報の書き込みや読み出しを行う側となるような折り畳み順序で３つ以上のシート部を折り部にて折り畳むと、情報の書き込みや読み出しを行うためのアンテナに対する電波が反射導電板にて遮られ、情報の書き込みや読み出しが不可能となる。
【００１５】
このように、折り畳み可能に連接した３つ以上のシート部の折り畳み順序を変えることによってＩＣチップに対する情報の書き込みや読み出しが可能となったり不可能となったりする。
【発明の効果】
【００１６】
以上説明したように本発明においては、３つ以上のシート部が折り畳み可能に連接し、この３つのシート部のうち１つのシート部に、導電性のアンテナとこのアンテナを介して情報の書き込み及び／または読み出しが可能なＩＣチップとが設けられ、３つのシート部のうちアンテナ及びＩＣチップが設けられたシート部以外の１つのシート部に、３つ以上のシート部が折り部にて折り畳まれた場合にアンテナの少なくとも一部と対向するように反射導電板が設けられ、アンテナ及びＩＣチップが設けられたシート部と、反射導電板が設けられたシート部が、３つ以上のシート部の配置について、３つ以上のシート部を折り畳んだ場合、折り畳み順序によって積層順序が異なるように配置されている構成としたため、３つ以上のシート部の折り畳み順序を変えることによって情報の書き込みや読み出しを可能とする状態と不可能とする状態とを切り替えることができ、情報の書き込みや読み出しを可能とする状態であっても不可能とする状態であっても３つ以上のシート部が折り畳まれた状態となるため、大型化することがなくなる。
【発明を実施するための最良の形態】
【００１７】
以下に、本発明の実施の形態について図面を参照して説明する。
【００１８】
（第１の実施の形態）
図１は、本発明のＲＦ−ＩＤメディアの第１の実施の形態である非接触型ＩＣラベルの構成を示す図であり、（ａ）は平面構造を示す図、（ｂ）は（ａ）に示したＡ−Ａ’断面図である。
【００１９】
本形態は図１に示すように、フィルムシート１と表面シート２とが剥離不可能な粘着剤３ａによって互いに貼着されてシート基材であるベース基材４となり、３つのシート部であるアンテナ片１０、補助片３０及び導電片２０が折り部４０ａ，４０ｂを介して折り畳み可能に連接して構成されている。なお、折り部４０ａ，４０ｂは、筋押しによる折り線やミシン目等によって形成することが考えられる。
【００２０】
アンテナ片１０においては、フィルムシート１の表面シート２とは反対側の面に、互いに直列に並ぶように所定の間隔を有してアンテナとなる帯状の２つの導体１２ａ，１２ｂが形成され、この２つの導体１２ａ，１２ｂに接続されるように、導体１２ａ，１２ｂを介して非接触状態にて情報の書き込み及び読み出しが可能なＩＣチップ１１が搭載されている。また、表面シート２のフィルムシート１とは反対側の面の一部には、貼着後の剥離及び再貼着が可能な粘着剤３ｂが塗布されている。
【００２１】
補助片３０においては、フィルムシート１の表面シート２とは反対側の面の全面に、貼着後の剥離が不可能な粘着剤３ｄが塗布されている。
【００２２】
導電片２０においては、フィルムシート１の表面シート２とは反対側の面のうち、外周を除いた部分に反射導電板である金属箔２１が塗布されている。これにより、アンテナ片１０、導電片２０及び補助片３０を折り部４０ａ，４０ｂにて折り畳むと、アンテナ片１０に設けられたＩＣチップ１１及び導体１２ａ，１２ｂが金属箔２１と対向するようになる。また、表面シート２のフィルムシート１とは反対側の面の一部には、貼着後の剥離及び再貼着が可能な粘着剤３ｃが塗布されている。
【００２３】
以下に、上記のように構成された非接触型ＩＣラベルの使用方法について説明する。
【００２４】
図１に示した非接触型ＩＣラベルにおいては、ＩＣチップ１１に対しての情報の書き込み及び読み出しが可能な距離を確保するために導体１２ａ，１２ｂからなるアンテナとＩＣチップ１１とのインピーダンス整合をとる必要があり、そのために、導体１２ａ，１２ｂの形状がＩＣチップ１１に対する情報の書き込み及び読み出しの周波数に応じて設計されている。また、アンテナが金属と対向した場合は、アンテナ側から情報の書き込みや読み出しを行うと、アンテナに対向した金属が反射板として機能し、通信特性が変化する。そこで、本形態においては、アンテナを構成する導体１２ａ，１２ｂが金属と対向した状態、すなわち、アンテナ片１０、導電片２０及び補助片３０を折り部４０ａ，４０ｂにて折り畳み、導体１２ａ，１２ｂが金属箔２１と対向した状態において、アンテナ片１０側からのＩＣチップ１１に対する情報の書き込みや読み出しが可能となるように導体１２ａ，１２ｂの形状を設計しておく。
【００２５】
まず、ＩＣチップ１１に対する情報の書き込みや読み出しを可能とする場合について説明する。
【００２６】
図２は、図１に示した非接触型ＩＣラベルに対して情報の書き込みや読み出しを可能とする場合の使用方法を説明するための図である。なお、図２においては、ベース基材４の積層構造は省略してある。
【００２７】
上記のように設計された非接触型ＩＣラベルを、補助片３０に塗布された粘着剤３ｄによって被着体となる物品５０に貼着し、その状態でＩＣチップ１１に対して情報の書き込みや読み出しを可能としたい場合は、まず、図２（ａ）に示すように、物品５０に貼着された補助片３０に対して導電片２０を折り部４０ｂにて折り畳む。すると、導電片２０と補助片３０とが導電片２０に塗布された粘着剤３ｃを介して対向し、この粘着剤３ｃによって導電片２０と補助片３０とが貼着される。
【００２８】
次に、図２（ｂ）に示すように、物品５０に貼着された補助片３０に対してアンテナ片１０を折り部４０ａにて折り畳む。すると、アンテナ片１０と導電片２０とがアンテナ片１０に塗布された粘着剤３ｂを介して対向し、この粘着剤３ｂによってアンテナ片１０と導電片２０とが貼着される。この状態では、アンテナを構成する導体１２ａ，１２ｂと、導電片２０に設けられた金属箔２１とが互いに対向する。また、アンテナ片１０と導電片２０の積層順序が、導電片２０に対してアンテナ片１０が物品５０とは反対側となるような順序となる。そのため、この状態で物品５０とは反対側からＩＣチップ１１に対する情報の書き込みや読み出しを行えば、ＩＣチップ１１に対する情報の書き込みや読み出しが可能となる。また、このようにアンテナ片１０、導電片２０及び補助片３０が折り部４０ａ，４０ｂにて折り畳まれた状態においては、アンテナ片１０及び導電片２０に塗布された粘着剤３ｂ，３ｃは表出しないため、粘着剤３ｂ，３ｃの粘着力が劣化したり、埃が付着したりすることがない。
【００２９】
次に、ＩＣチップ１１に対する情報の書き込みや読み出しを不可能とする場合について説明する。
【００３０】
図３は、図１に示した非接触型ＩＣラベルに対して情報の書き込みや読み出しを不可能とする場合の使用方法を説明するための図である。なお、図３においては、ベース基材４の積層構造は省略してある。
【００３１】
上記のように設計された非接触型ＩＣラベルを、補助片３０に塗布された粘着剤３ｄによって被着体となる物品５０に貼着し、その状態でＩＣチップ１１に対して情報の書き込みや読み出しを不可能としたい場合は、まず、図３（ａ）に示すように、物品５０に貼着された補助片３０に対してアンテナ片１０を折り部４０ａにて折り畳む。すると、アンテナ片１０と補助片３０とがアンテナ片１０に塗布された粘着剤３ｂを介して対向し、この粘着剤３ｂによってアンテナ片１０と補助片３０とが貼着される。
【００３２】
次に、図３（ｂ）に示すように、物品５０に貼着された補助片３０に対して導電片２０を折り部４０ｂにて折り畳む。すると、アンテナ片１０と導電片２０とが導電片２０に塗布された粘着剤３ｃを介して対向し、この粘着剤３ｃによってアンテナ片１０と導電片２０とが貼着される。この状態では、アンテナを構成する導体１２ａ，１２ｂと、導電片２０に設けられた金属箔２１とが互いに対向しているものの、アンテナ片１０と導電片２０の積層順序が、導電片２０に対してアンテナ片１０が物品５０側となるような順序となる。そのため、この状態で物品５０とは反対側からＩＣチップ１１に対する情報の書き込みや読み出しを行った場合、情報の書き込みや読み出しを行うためのアンテナを構成する導体１２ａ，１２ｂに対する電波が金属箔２１にて遮られ、ＩＣチップ１１に対する情報の書き込みや読み出しが不可能となる。また、このようにアンテナ片１０、導電片２０及び補助片３０が折り部４０ａ，４０ｂにて折り畳まれた状態においては、アンテナ片１０及び導電片２０に塗布された粘着剤３ｂ，３ｃは表出しないため、粘着剤３ｂ，３ｃの粘着力が劣化したり、埃が付着したりすることがない。
【００３３】
このように、折り部４０ａ，４０ｂを介して折り畳み可能に連接したアンテナ片１０、導電片２０及び補助片３０の折り畳み順序を変えるだけで、アンテナ片１０と導電片２０の積層順序が変わり、一方の側から情報の書き込みや読み出しを行った場合に情報の書き込みや読み出しを可能としたり不可能としたりすることができる。
【００３４】
なお、図２（ｂ）に示したような状態と図３（ｂ）に示したような状態とは可逆的である。すなわち、ＩＣチップ１１に対する情報の書き込みや読み出しを可能とする状態と不可能とする状態とは可逆的に変えることができる。
【００３５】
例えば、図２（ｂ）に示した状態からＩＣチップ１１に対する情報の書き込みや読み出しを不可能な状態としたい場合は、まず、アンテナ片１０に塗布された粘着剤３ｂによって互いに貼着されたアンテナ片１０と導電片２０とを剥離する。アンテナ片１０と導電片２０とを貼着していた粘着剤３ｂは、上述したように貼着後の剥離が可能なものであるため、アンテナ片１０と導電片２０とを貼着した後にこれらを剥離することができる。次に、導電片２０に塗布された粘着剤３ｃによって互いに貼着された導電片２０と補助片３０とを剥離する。導電片２０と補助片３０とを貼着していた粘着剤３ｃは、上述したように貼着後の剥離が可能なものであるため、導電片２０と補助片３０とを貼着した後にこれらを剥離することができる。その後、図３に示したようにアンテナ片１０、導電片２０及び補助片３０を折り部４０ａ，４０ｂにて順次折り畳んでいくこととなる。
【００３６】
また、図３（ｂ）に示した状態からＩＣチップ１１に対する情報の書き込みや読み出しを可能な状態としたい場合は、まず、導電片２０に塗布された粘着剤３ｃによって互いに貼着されたアンテナ片１０と導電片２０とを剥離する。アンテナ片１０と導電片２０とを貼着していた粘着剤３ｃは、上述したように貼着後の剥離が可能なものであるため、アンテナ片１０と導電片２０とを貼着した後にこれらを剥離することができる。次に、アンテナ片１０に塗布された粘着剤３ｂによって互いに貼着されたアンテナ片１０と補助片３０とを剥離する。アンテナ片１０と補助片３０とを貼着していた粘着剤３ｂは、上述したように貼着後の剥離が可能なものであるため、アンテナ片１０と補助片３０とを貼着した後にこれらを剥離することができる。その後、図２に示したようにアンテナ片１０、導電片２０及び補助片３０を折り部４０ａ，４０ｂにて順次折り畳んでいくこととなる。
【００３７】
なお、本形態においては、表面シート２のフィルムシート１とは反対側の面のうちアンテナ片１０及び導電片２０となる領域の一部に、貼着後の剥離及び再貼着が可能な粘着剤３ｂ，３ｃが塗布されているが、粘着剤３ｂ，３ｃが塗布される領域は、表面シート２のフィルムシート１とは反対側の面のうち、アンテナ片１０及び導電片２０となる領域の全面であってもよい。
【００３８】
また、粘着剤３ｂ，３ｃを塗布せずに、フィルムシート１及び表面シート２のアンテナ片１０及び導電片２０となる領域に、それぞれタブを形成するとともに、アンテナ片１０、導電片２０及び補助片３０を折り部４０ａ，４０ｂにて折り畳んだ場合にタブと対向する領域にタブが入り込めるような切り込みをそれぞれ形成しておき、アンテナ片１０、導電片２０及び補助片３０を折り部４０ａ，４０ｂにて折り畳んだ際にこのタブを切り込みに入り込ませる構成とすることも考えられる。
【００３９】
（第２の実施の形態）
図４は、本発明のＲＦ−ＩＤメディアの第２の実施の形態である非接触型ＩＣラベルの構成を示す図であり、（ａ）は平面構造を示す図、（ｂ）は（ａ）に示したＡ−Ａ’断面図である。
【００４０】
本形態は図４に示すように、フィルムシート１０１と表面シート１０２とが剥離不可能な粘着剤１０３ａによって互いに貼着されてシート基材であるベース基材１０４となり、３つのシート部である導電片１２０、アンテナ片１１０及び補助片１３０が折り部１４０ａ，１４０ｂを介して折り畳み可能に連接して構成されている。なお、折り部１４０ａ，１４０ｂは、筋押しによる折り線やミシン目等によって形成することが考えられる。
【００４１】
アンテナ片１１０においては、フィルムシート１０１の表面シート１０２とは反対側の面に、互いに直列に並ぶように所定の間隔を有してアンテナとなる帯状の２つの導体１１２ａ，１１２ｂが形成され、この２つの導体１１２ａ，１１２ｂに接続されるように、導体１１２ａ，１１２ｂを介して非接触状態にて情報の書き込み及び読み出しが可能なＩＣチップ１１１が搭載されている。また、表面シート１０２のフィルムシート１０１とは反対側の面の全面には、貼着後の剥離及び再貼着が可能な粘着剤１０３ｂが塗布されている。
【００４２】
導電片１２０においては、フィルムシート１０１の表面シート１０２とは反対側の面のうち、外周を除いた部分に反射導電板である金属箔１２１が塗布されている。これにより、アンテナ片１１０と導電片１２０を折り部１４０ａにて折り畳むと、アンテナ片１１０に設けられたＩＣチップ１１１及び導体１１２ａ，１１２ｂが金属箔１２１と対向するようになる。また、フィルムシート１０１の金属箔１２１が塗布された面の全面には、貼着後の剥離及び再貼着が可能な粘着剤１０３ｃが塗布されている。
【００４３】
補助片１３０においては、フィルムシート１０１の表面シート１０２とは反対側の面の全面に、貼着後の剥離が不可能な粘着剤１０３ｄが塗布されている。
【００４４】
以下に、上記のように構成された非接触型ＩＣラベルの使用方法について説明する。
【００４５】
図４に示した非接触型ＩＣラベルにおいては、ＩＣチップ１１１に対しての情報の書き込み及び読み出しが可能な距離を確保するために導体１１２ａ，１１２ｂからなるアンテナとＩＣチップ１１１とのインピーダンス整合をとる必要があり、そのために、導体１１２ａ，１１２ｂの形状がＩＣチップ１１１に対する情報の書き込み及び読み出しの周波数に応じて設計されている。また、アンテナが金属と対向した場合は、アンテナ側から情報の書き込みや読み出しを行うと、アンテナに対向した金属が反射板として機能し、通信特性が変化する。そこで、本形態においては、アンテナを構成する導体１１２ａ，１１２ｂが金属と対向した状態、すなわち、アンテナ片１１０、導電片１２０及び補助片１３０を折り部１４０ａ，１４０ｂにて折り畳み、導体１１２ａ，１１２ｂが金属箔１２１と対向した状態において、アンテナ片１１０側からのＩＣチップ１１１に対する情報の書き込みや読み出しが可能となるように導体１１２ａ，１１２ｂの形状を設計しておく。
【００４６】
まず、ＩＣチップ１１１に対する情報の書き込みや読み出しを可能とする場合について説明する。
【００４７】
図５は、図４に示した非接触型ＩＣラベルに対して情報の書き込みや読み出しを可能とする場合の使用方法を説明するための図である。なお、図５においては、ベース基材１０４の積層構造は省略してある。
【００４８】
上記のように設計された非接触型ＩＣラベルを、補助片１３０に塗布された粘着剤１０３ｄによって被着体となる物品１５０に貼着し、その状態でＩＣチップ１１１に対して情報の書き込みや読み出しを可能としたい場合は、まず、図５（ａ）に示すように、アンテナ片１１０と導電片１２０とを折り部１４０ａにて折り畳む。すると、アンテナ片１１０と導電片１２０とがアンテナ片１１０に塗布された粘着剤１０３ｂを介して対向し、この粘着剤１０３ｂによってアンテナ片１１０と導電片１２０とが貼着される。
【００４９】
次に、図５（ｂ）に示すように、物品１５０に貼着された補助片１３０に対して、導電片１２０が貼着されたアンテナ片１１０を折り部１４０ａにて折り畳む。すると、導電片１２０と補助片１３０とが導電片１２０に塗布された粘着剤１０３ｃを介して対向し、この粘着剤１０３ｃによって導電片１２０と補助片１３０とが貼着される。この状態では、アンテナを構成する導体１１２ａ，１１２ｂと、導電片１２０に設けられた金属箔１２１とが互いに対向し、かつ、アンテナ片１１０と導電片１２０の積層順序が、導電片１２０に対してアンテナ片１１０が物品１５０とは反対側となるような順序となる。そのため、この状態で物品１５０とは反対側からＩＣチップ１１１に対する情報の書き込みや読み出しを行えば、ＩＣチップ１１１に対する情報の書き込みや読み出しが可能となる。また、このようにアンテナ片１１０、導電片１２０及び補助片１３０が折り部１４０ａ，１４０ｂにて折り畳まれた状態においては、アンテナ片１１０及び導電片１２０に塗布された粘着剤１０３ｂ，１０３ｃは表出しないため、粘着剤１０３ｂ，１０３ｃの粘着力が劣化したり、埃が付着したりすることがない。
【００５０】
次に、ＩＣチップ１１１に対する情報の書き込みや読み出しを不可能とする場合について説明する。
【００５１】
図６は、図４に示した非接触型ＩＣラベルに対して情報の書き込みや読み出しを不可能とする場合の使用方法を説明するための図である。なお、図６においては、ベース基材１０４の積層構造は省略してある。
【００５２】
上記のように設計された非接触型ＩＣラベルを、補助片１３０に塗布された粘着剤１０３ｄによって被着体となる物品１５０に貼着し、その状態でＩＣチップ１１１に対して情報の書き込みや読み出しを不可能としたい場合は、まず、図６（ａ）に示すように、物品１５０に貼着された補助片１３０に対してアンテナ片１１０及び導電片１２０を折り部１４０ｂにて折り畳む。すると、アンテナ片１１０と補助片１３０とがアンテナ片１１０に塗布された粘着剤１０３ｂを介して対向し、この粘着剤１０３ｂによってアンテナ片１１０と補助片１３０とが貼着される。
【００５３】
次に、図６（ｂ）に示すように、補助片１３０に貼着されたアンテナ片１１０に対して導電片１２０を折り部１４０ａにて折り畳む。すると、アンテナ片１１０と導電片１２０とが導電片１２０に塗布された粘着剤１０３ｃを介して対向し、この粘着剤１０３ｃによってアンテナ片１１０と導電片１２０とが貼着される。この状態では、アンテナを構成する導体１１２ａ，１１２ｂと、導電片１２０に設けられた金属箔１２１とが互いに対向しているものの、アンテナ片１１０と導電片１２０の積層順序が、導電片１２０に対してアンテナ片１１０が物品１５０側となるような順序となる。そのため、この状態で物品１５０とは反対側からＩＣチップ１１１に対する情報の書き込みや読み出しを行った場合、情報の書き込みや読み出しを行うためのアンテナを構成する導体１１２ａ，１１２ｂに対する電波が金属箔１２１にて遮られ、ＩＣチップ１１１に対する情報の書き込みや読み出しが不可能となる。また、このようにアンテナ片１１０、導電片１２０及び補助片１３０が折り部１４０ａ，１４０ｂにて折り畳まれた状態においては、アンテナ片１１０及び導電片１２０に塗布された粘着剤１０３ｂ，１０３ｃは表出しないため、粘着剤１０３ｂ，１０３ｃの粘着力が劣化したり、埃が付着したりすることがない。
【００５４】
このように、折り部１４０ａ，１４０ｂを介して折り畳み可能に連接したアンテナ片１１０、導電片１２０及び補助片１３０の折り畳み順序を変えるだけで、アンテナ片１１０と導電片１２０の積層順序が変わり、一方の側から情報の書き込みや読み出しを行った場合に情報の書き込みや読み出しを可能としたり不可能としたりすることができる。
【００５５】
なお、図５（ｂ）に示したような状態と図６（ｂ）に示したような状態とは可逆的である。すなわち、ＩＣチップ１１１に対する情報の書き込みや読み出しを可能とする状態と不可能とする状態とは可逆的に変えることができる。
【００５６】
例えば、図５（ｂ）に示した状態からＩＣチップ１１１に対する情報の書き込みや読み出しを不可能な状態としたい場合は、まず、導電片１２０に塗布された粘着剤１０３ｃによって互いに貼着された導電片１２０と補助片１３０とを剥離する。導電片１２０と補助片１３０とを貼着していた粘着剤１０３ｃは、上述したように貼着後の剥離が可能なものであるため、導電片１２０と補助片１３０とを貼着した後にこれらを剥離することができる。次に、アンテナ片１１０に塗布された粘着剤１０３ｂによって互いに貼着されたアンテナ片１１０と導電片１２０とを剥離する。アンテナ片１１０と導電片１２０とを貼着していた粘着剤１０３ｂは、上述したように貼着後の剥離が可能なものであるため、アンテナ片１１０と導電片１２０とを貼着した後にこれらを剥離することができる。その後、図６に示したようにアンテナ片１１０、導電片１２０及び補助片１３０を折り部１４０ａ，１４０ｂにて順次折り畳んでいくこととなる。
【００５７】
また、図６（ｂ）に示した状態からＩＣチップ１１１に対する情報の書き込みや読み出しを可能な状態としたい場合は、まず、導電片１２０に塗布された粘着剤１０３ｃによって互いに貼着されたアンテナ片１１０と導電片１２０とを剥離する。アンテナ片１１０と導電片１２０とを貼着していた粘着剤１０３ｃは、上述したように貼着後の剥離が可能なものであるため、アンテナ片１１０と導電片１２０とを貼着した後にこれらを剥離することができる。次に、アンテナ片１１０に塗布された粘着剤１０３ｂによって互いに貼着されたアンテナ片１１０と補助片１３０とを剥離する。アンテナ片１１０と補助片１３０とを貼着していた粘着剤１０３ｂは、上述したように貼着後の剥離が可能なものであるため、アンテナ片１１０と補助片１３０とを貼着した後にこれらを剥離することができる。その後、図５に示したようにアンテナ片１１０、導電片１２０及び補助片１３０を折り部１４０ａ，１４０ｂにて順次折り畳んでいくこととなる。
【００５８】
なお、上述した２つの実施の形態においては、フィルムシート１，１０１の表面シート２，１０２とは反対側の面のうち、外周を除いた部分に金属箔２１，１２１が塗布されているが、金属箔２１，１２１は、アンテナ片１０，１１０、導電片２０，１２０及び補助片３０，１３０が折り部４０ａ，４０ｂ，１４０ａ，１４０ｂにて折り畳まれた場合に導体１２ａ，１２ｂ，１１２ａ，１１２ｂと対向する領域に塗布されていればよい。また、導体１２ａ，１２ｂ，１１２ａ，１１２ｂの形状によっては、アンテナ片１０，１１０、導電片２０，１２０及び補助片３０，１３０が折り部４０ａ，４０ｂ，１４０ａ，１４０ｂにて折り畳まれた場合に導体１２ａ，１２ｂ，１１２ａ，１１２ｂの一部のみに金属箔２１，１２１が対向するような構成とすることも考えられる。
【００５９】
また、アンテナ片１０，１１０、導電片２０，１２０及び補助片３０，１３０を互いに貼着する手段として、貼着後の剥離及び再貼着が可能な粘着剤３ｂ，３ｃ，１０３ｂ，１０３ｃを用いたが、フィルムシート１，１０１及び表面シート２，１０２について、アンテナ片１０，１１０、導電片２０，１２０及び補助片３０，１３０の互いの貼着面に、互いにのみ貼着可能な粘着剤を塗布しておくことも考えられる。このような粘着剤は、例えば、自己粘着性を有する水性アクリル系エマルジョン粘着剤のような、手で押し付ける等といった通常の圧力で自己のみが貼着可能なものが考えられる。すなわち、この粘着剤によってアンテナ片１０，１１０、導電片２０，１２０及び補助片３０，１３０は互いにのみ貼着可能となり、他の紙や樹脂とは貼着しない。そのため、アンテナ片１０，１１０、導電片２０，１２０及び補助片３０，１３０を互いに貼着可能な構成としながらも、アンテナ片１０，１１０、導電片２０，１２０及び補助片３０，１３０が見開いた状態において、非接触型ＩＣラベルの表面がベタつくことがなくなる。その粘着剤の一例としては、リカボンドＡＰ−２１７（中央理化製）が挙げられる。
【００６０】
また、粘着剤３ｂ，３ｃ，１０３ｂ，１０３ｃを貼着後の剥離が不可能なものとし、フィルムシート１，１０１及び表面シート２，１０２について、アンテナ片１０，１１０、導電片２０，１２０及び補助片３０，１３０を折り部４０ａ，４０ｂ，１４０ａ，１４０ｂにて折り畳んだ場合に粘着剤３ｂ，３ｃ，１０３ｂ，１０３ｃと対向する面に、剥離剤を塗布しておくことにより、アンテナ片１０，１１０、導電片２０，１２０及び補助片３０，１３０を貼着後の剥離が可能な構成とすることも考えられる。
【００６１】
また、上述した２つの実施の形態においては、非接触状態にて情報の書き込み及び読み出しが可能なＩＣチップ１１，１１１を用いたものを例に挙げて説明したが、非接触状態にて情報の書き込みと読み出しのいずれか一方のみが可能なものを用いたものであってもよい。
【００６２】
また、２つの導体１２ａ，１２ｂ，１１２ａ，１１２ｂからアンテナが構成されているが、ＩＣチップ１１，１１１に接続された１つの導体から構成されたアンテナを用いることも考えられる。
【００６３】
また、アンテナ片１０，１１０、導電片２０，１２０及び補助片３０，１３０の３つのシート部が折り部４０ａ，４０ｂ，１４０ａ，１４０ｂを介して折り畳み可能に連接して構成されているが、３つ以上のシート部が折り部を介して折り畳み可能に連接しているものであっても、３つ以上のシート部のうち１つのシート部に、アンテナ及びＩＣチップが設けられ、３つ以上のシート部のうち、アンテナ及びＩＣチップが設けられたシート部以外の１つのシート部に、３つ以上のシート部が折り部にて折り畳まれた場合にアンテナの少なくとも一部と対向するように金属箔が設けられ、アンテナ及びＩＣチップが設けられたシート部と、金属箔が設けられたシート部が、３つ以上のシート部の配置について、３つ以上のシート部を折り部にて折り畳んだ場合、折り畳み順序によって積層順序が異なるように配置されているものであればよい。
【図面の簡単な説明】
【００６４】
【図１】本発明のＲＦ−ＩＤメディアの第１の実施の形態である非接触型ＩＣラベルの構成を示す図であり、（ａ）は平面構造を示す図、（ｂ）は（ａ）に示したＡ−Ａ’断面図である。
【図２】図１に示した非接触型ＩＣラベルに対して情報の書き込みや読み出しを可能とする場合の使用方法を説明するための図である。
【図３】図１に示した非接触型ＩＣラベルに対して情報の書き込みや読み出しを不可能とする場合の使用方法を説明するための図である。
【図４】本発明のＲＦ−ＩＤメディアの第２の実施の形態である非接触型ＩＣラベルの構成を示す図であり、（ａ）は平面構造を示す図、（ｂ）は（ａ）に示したＡ−Ａ’断面図である。
【図５】図４に示した非接触型ＩＣラベルに対して情報の書き込みや読み出しを可能とする場合の使用方法を説明するための図である。
【図６】図４に示した非接触型ＩＣラベルに対して情報の書き込みや読み出しを不可能とする場合の使用方法を説明するための図である。
【図７】９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【符号の説明】
【００６５】
１，１０１    フィルムシート
２，１０２    表面シート
３ａ，３ｂ，３ｃ，３ｄ，１０３ａ，１０３ｂ，１０３ｃ，１０３ｄ    粘着剤
４，１０４    ベース基材
１０，１１０    アンテナ片
１１，１１１    ＩＣチップ
１２ａ，１２ｂ，１１２ａ，１１２ｂ    導体
２０，１２０    導電片
２１，１２１    金属箔
３０，１３０    補助片
４０ａ，４０ｂ，１４０ａ，１４０ｂ    折り部
５０，１５０    物品
【図１】
2007122468.tif 000003
【図２】
2007122468.tif 000004
【図３】
2007122468.tif 000005
【図４】
2007122468.tif 000006
【図５】
2007122468.tif 000007
【図６】
2007122468.tif 000008
【図７】
2007122468.tif 000009